(57)【要約】【課題】片手操作による木ネジの締め付け作業を可能にして安定した作業効率と操作性を得る。【解決手段】ステンレス板を筒状に丸めた片方にネジ押さえ５を有する固定爪４と支え爪６を設けて、これに木ネジ３を挾めるようにした。その反対側にはガイド１０とつまみ９を設けてドライバー軸２を挾めるようにした。【選択図】　　　　図１
2004050394.tif 000002
【特許請求の範囲】
【請求項１】
片方の先端にネジ押さえ（５）を有する固定爪（４）と支え爪（６）を設けて木ネジ（３）を挾めるようにした。その反対側にはつまみ（９）とガイド（１０）を設けてドライバー軸（２）を挾めるように構成した筒状の木ネジ固定具（１）。
【発明の詳細な説明】
【０００１】
【発明の属する技術分野】
本発明は、角部に丸みを付与したステンレス板を筒状に丸めた片方に木ネジを挾めるようにして、その反対側にはドライバーを挾めるように構成した木ネジ固定具に関するものである。
【０００２】
【従来の技術】
従来、木ネジの締め付け作業は、通常仮止めするまでは片方の手に木ネジを持ち、別の手にはドライバーを持って作業する必要があった。
【０００３】
【発明が解決しようとする課題】
このため両手を使って作業する必要があるので不便なうえ非効率的な場合があった。特に、機械類には狭くて操作しずらい箇所を有するものが少なくない。このような狭い箇所で両手を使って行う作業は木ネジを持つ手に視界が遮られてスムーズなネジ穴挿入が出来ないばかりか、木ネジを持つ手のバランス感覚が不安定になり仮止めする前に木ネジが落ちたりする等の問題があった。又、手に障害があって片方の手しか使えない人にとっては、更に容易な事ではなかった。本発明はこれらの問題点を解決することを目的としている。そして又、左利きの人にとっては木ネジの構造上操作しずらいものとなっている。これは右利きの人が左手で操作するのに等しい。本発明はこのような問題点を解決することを目的になされたものである。
【０００４】
【課題を解決するための手段】
本発明は、このような目的を達成するために、成形されたステンレス板の角部には安全性を高めるための丸みを付与して、これを筒状に丸めた片方にネジ押さえ部分を有する固定爪と支え爪を設けてこれに木ネジを挾めるようにした。その反対側にはガイドとつまみを設けてドライバー軸を挾めるようにした。
【０００５】
【発明の実施の形態】
発明の実施の形態について図面を参照して説明する。
図２のように成形された厚さ約０．１５ｍｍのステンレス板の角部には安全性を高めるための丸みを付与して、これを筒状に丸めた片方の先端にネジ押さえ５部分を有する固定爪４と支え爪６を交互に形成する木ネジ挿入口７を設けて木ネジ３を挾めるようにした。その反対側にはつまみ９とガイド１０を交互に形成するドライバー挿入口８を設けてドライバー軸２を挾めるようにした（図１）。ドライバー軸２の直径が５ｍｍを想定した本発明の木ネジ固定具１の直径（ロ）は６ｍｍ、胴体部分（イ）の長さは３０ｍｍである。図２に示されるように成形されたステンレス板の片方の先端に３ｍｍの長さのネジ押さえ５を９７°の角度Ａ（図３）で各各外側へ折曲げる。その折曲げたところから１ｍｍ位のところを各各９０°の角度Ｂに内側へ折曲げてネジ押さえ５を有する固定爪４を形成する。支え爪６はネジ押さえ５の先端から６ｍｍのところを９０°の角度Ｃで各各内側に折曲げる。支え爪６の長さは１．５ｍｍである。次に、その反対側のつまみ９を直径１ｍｍの筒状に各各外側に折曲げて丸める。ガイド１０は直径０．５ｍｍの筒状に各各内側に折曲げて丸める。このガイド１０が内側になるようにしてステンレス板を筒状に丸める。以上のごとく木ネジ挿入口７とドライバー挿入口８を各各両端に構成する木ネジ固定具１（図１）。
【０００６】
【発明の効課】
上述のとおり構成される本発明の木ネジ固定具は次に記載する効果を奏する。木ネジ固定具による木ネジの締め付け作業の実施においては、ドライバー挿入口にドライバーの先端を差し込む。木ネジ挿入口には木ネジを差し込みドライバーと木ネジを一体化する。ドライバー挿入口と木ネジ挿入口には弾力性が有り押し開くようにして各各差し込むことが出来る。木ネジを差し込むと固定爪と支え爪の作用で木ネジの頭はしっかり固定される。更にネジ押さえの働きでネジ部の揺らぎを防止する。ドライバー挿入口のガイド部はドライバー軸と密着して固定させる働きがある反面、木ネジ固定具の胴体部分とドライバー軸の間にすき間が生じて摩擦の抵抗を低下させて木ネジ固定具の移動を滑らかにする効果がある。又、つまみは指の掛かりを良くして空滑りを防止するため滑らかな移動を更に向上させる。
このように木ネジとドライバーを一体化した形（図４）で片手操作ができるようにした結果、従来のように狭い箇所の作業も木ネジを持つ手に視界が遮られるようなことは無くなり、ネジ穴や木ネジの先端を確認しながら簡単にネジ穴挿入が出来るようにした。更に、木ネジとドライバーは接続されて一直線状に固定されているので、仮に手のバランス感覚が不安定になったり、或いは木ネジがネジ穴とずれて他と接触しても木ネジ挿入口には弾力性が有り少少動いても一直線状に補正されて復元する。且つ、簡単に落したりすることも無くなった。そのため狭い箇所も安定した効率の良い作業が実施できるようになった。
又、木ネジの締め付け作業が数多く及ぶ場合においては、次のような手順で行えばさらに効率的である。木ネジを仮止めしたところで持ち手の親指と人さし指で木ネジ固定具をつまみ少しスライドさせて、木ネジと木ネジ固定具をいったん外してから締め付ける。但し、ドライバー軸の長いものは両手を使って外したほうがよい場合がある。締め付けが終了したら同時に又、木ネジ固定具をドライバー軸の先端のほうへ戻して新しい木ネジを差し込む。数の多い木ネジの締め付け作業はこの繰り返しでよい。従って、両手を使うのは木ネジを差し込むときだけで良いので無駄が無く効率よく作業できる。
又、木ネジの締め付け作業は、従来左利きの人にとっては操作しずらい構造になっている。特に小さな木ネジの締め付け作業はネジ穴挿入時の微妙なバランス感覚がつかめずに木ネジとドライバー軸の角度がずれて木ネジを落してしまう等の問題があった。しかし、木ネジとドライバーを接続して一体化した形で行う木ネジ固定具による作業はこのような問題を解決した。仮に木ネジがネジ穴からずれて他と接触したとしても木ネジとドライバーはしっかり固定されているので簡単に落ちてしまうようなことは無くなった。又、障害等で片方の手しか使えない人にとっても片手操作による作業が出来るようにして、飛躍的にその操作性を高めることが出来た結果、従来難しかった一連の木ネジの締め付け作業を可能にすることができた。これらは全て、木ネジとドライバーを接続して一体化した形で行う片手の作業を可能にして成しうるものである。
又、ドライバー軸の直径が５ｍｍを想定した木ネジ固定具の各爪部分の長さや折曲げ角度及び、胴体部分の直径と長さ並びにステンレス板の厚みは前述の通りである。そして木ネジ挿入口とドライバー挿入口には弾力性が有り少少大きめの木ネジや太いドライバー軸にも対応が可能である。しかし、木ネジの大きさやドライバー軸の太さに合わせて各各変えることが望ましいことは言うまでもない。又、木ネジ固定具の保管についてはドライバー軸をスライドさせることが出来るので取り外して別個保管してもよいが、ドライバー軸に木ネジ固定具１′（図４）を密着させたまま保管すれば場所も取らず紛失することはない。
なお、本発明の木ネジ固定具は１枚のステンレス板で構成されているが、次に述べるように２枚のステンレス板による構成にしてもよい。片方に支え爪を形成してその反対側にはガイドを形成したステンレス板と、片方にネジ押さえ部分を有する固定爪を形成してその反対側にはつまみを形成したステンレス板の２枚を張合せて固着する構成にしてもよい。この場合、固定爪と支え爪又は、つまみとガイドは必ずしも交互に形成する必要はない。又、木ネジ固定具の素材はステンレス板を用いているが、プラスチック等反発性と弾力性を備えて復元する素材や形状であればこれに限定するものではない。
【図面の簡単な説明】
【図１】本発明の斜視図である。
【図２】本発明の展開図である。
【図３】本発明の略断面図である。
【図４】本発明の実施例を示す略断面図である。
【符号の説明】
１、１′　木ネジ固定具
２　ドライバー軸
３　木ネジ
４　固定爪
５、５′　ネジ押さえ
６、６′　支え爪
７　木ネジ挿入口
８　ドライバー挿入口
９、９′　つまみ
１０、１０′　ガイド
【図１】
2004050394.tif 000003
【図２】
2004050394.tif 000004
【図３】
2004050394.tif 000005
【図４】
2004050394.tif 000006